(57)【特許請求の範囲】
【請求項１】
光情報記録媒体にレーザービームを間欠的に照射して所望のデータを記録する光情報記録装置において、
前記光情報記録媒体の回転中心を基準にした極座標により、前記レーザービームの照射位置を示す極座標による位置情報を出力する極座標生成手段と、
前記極座標による位置情報を座標変換して直交座標による位置情報を生成する座標変換手段と、
前記直交座標による位置情報をアドレスにして保持した画像データを出力する画像データ保持手段と、
前記画像データ保持手段より出力される画像データに応じて、前記レーザービームの光量を変化させる光変調手段と
を備えることを特徴とする光情報記録装置。
【請求項２】
前記極座標生成手段は、
前記光情報記録媒体上における半径方向の位置情報と、円周方向の位置情報とにより、前記極座標による位置情報を生成し、
前記光情報記録媒体が所定の角度回転する毎に信号レベルが変化する回転情報信号をカウントすることにより、前記半径方向の位置情報と、前記円周方向の位置情報とを生成する
ことを特徴とする請求項１に記載の光情報記録装置。
【請求項３】
前記レーザービームの間欠的な照射により、前記光情報記録媒体に順次ピット列を作成して前記所望のデータを記録し、
前記レーザービームの光量の変化に対応して、前記レーザービームの照射のタイミングを補正することにより、前記レーザービームの光量の変化により変化する前記ピットのピット長を補正するタイミング補正手段を有する
ことを特徴とする請求項１に記載の光情報記録装置。
【請求項４】
前記タイミング補正手段は、
前記光情報記録媒体より得られる再生信号を所定のスライスレベルで２値化して２値化信号を生成した際に、所定の基本周期を単位にして前記２値化信号が変化するように、前記レーザービームの照射のタイミングを補正する
ことを特徴とする請求項３に記載の光情報記録装置。
【請求項５】
補正データ格納手段に格納した補正データに従って、前記レーザービームの照射のタイミングを補正する
ことを特徴とする請求項４に記載の光情報記録装置。
【請求項６】
レーザービームを間欠的に照射して所望のデータを記録する光情報記録方法において、
前記光情報記録媒体上における前記レーザービームの照射位置を示す極座標による位置情報を、直交座標による位置情報に変換して画像メモリをアクセスし、前記画像メモリより得られる画像データに応じて、可視画像を記録する
ことを特徴とする光情報記録方法。
【請求項７】
前記極座標による位置情報を、前記光情報記録媒体上における半径方向の位置情報と円周方向の位置情報とにより生成し、
前記光情報記録媒体が所定の角度回転する毎に信号レベルが変化する回転情報信号をカウントすることにより、前記半径方向の位置情報と、前記円周方向の位置情報とを生成する
ことを特徴とする請求項６に記載の光情報記録方法。
【請求項８】
前記レーザービームの間欠的な照射により、前記光情報記録媒体に順次ピット列を作成して前記所望のデータを記録し、
前記画像データに対応して、前記レーザービームの照射のタイミングを補正することにより、前記ピット幅の変化に追従して変化する前記ピットのピット長を補正する
ことを特徴とする請求項６に記載の光情報記録方法。
【請求項９】
ディスク原盤にレーザービームを間欠的に照射して順次ピット列を作成することにより前記ディスク原盤に所望のデータを記録するディスク原盤の露光工程と、
前記露光工程による前記ディスク原盤を現像する現像工程と、
前記現像工程による前記ディスク原盤よりスタンパーを作成するスタンパー作成の工程と、
前記スタンパーよりディスク基板を作成するディスク基板の作成工程と、
前記ディスク基板に反射膜、保護膜を作成して光ディスクを作成する工程とを有し、
前記ディスク原盤の露光工程は、
前記ディスク原盤上における前記レーザービームの照射位置を示す極座標による位置情報を、直交座標による位置情報に変換して画像メモリをアクセスし、前記画像メモリより得られる画像データに応じて前記ピットのピット幅を変化させる
ことを特徴とする光ディスク製造方法。
【請求項１０】
前記ディスク原盤の露光工程は、
前記画像データに対応して、前記レーザービームの照射のタイミングを補正することにより、前記ピット幅の変化に追従して変化する前記ピットの長さを補正する
ことを特徴とする請求項９に記載の光ディスク製造方法。
【発明の詳細な説明】
【０００１】
【発明の属する技術分野】
本発明は、光情報記録装置、光情報記録方法及び光ディスク製造方法に関し、例えばコンパクトディスクの記録装置、その記録方法に適用することができる。本発明は、極座標によるレーザービーム照射位置の位置情報を直交座標による位置情報に変換して、対応する画像データをアクセスし、この画像データに応じてレーザービームの光量を制御することにより、コンパクトディスクの情報記録面に、文字、画像を目視可能に簡易に記録することができるようにする。
【０００２】
【従来の技術】
従来、例えばこの種の光情報記録媒体でなるコンパクトディスクにおいては、記録に供するデータをデータ処理した後、ＥＦＭ（Eight-to-Fourteen Modulation）変調することにより、所定の基本周期Ｔに対して、周期３Ｔ〜１１Ｔのピット列が形成され、これによりオーディオデータ等が記録されるようになされている。
【０００３】
これに対応してコンパクトディスクプレイヤーは、コンパクトディスクにレーザービームを照射して戻り光を受光することにより、この戻り光の光量に応じて信号レベルが変化する再生信号を得、この再生信号を所定のスライスレベルにより２値化して２値化信号を生成する。さらにこの２値化信号よりＰＬＬ回路を駆動して再生クロックを生成すると共に、この再生クロックにより２値化信号を順次ラッチし、これによりコンパクトディスクに形成されたピット列に対応する周期３Ｔ〜１１Ｔの再生データを生成する。
【０００４】
コンパクトディスクプレイヤーは、このようにして生成した再生データを記録時のデータ処理に対応するデータ処理により復号し、コンパクトディスクに記録されたオーディオデータ等を再生するようになされている。
【０００５】
このようなコンパクトディスクにおいては、ポリカーボネート等のディスク基板にピット列が形成され、このディスク基板に反射膜が形成されて情報記録面が形成される。さらにこの情報記録面にタイトル、曲名、製造メーカー名等の文字、画像が、スクリーン印刷により目視可能に印刷されるようになされている。
【０００６】
【発明が解決しようとする課題】
このようなコンパクトディスクにおいて、情報記録面に目視可能な文字、画像を簡易に記録することができれば、便利であると考えられる。
【０００７】
本発明は以上の点を考慮してなされたもので、情報記録面に目視可能な文字、画像を簡易に記録することができる光情報記録装置、光情報記録方法及び光ディスク製造方法を提案しようとするものである。
【０００８】
【課題を解決するための手段】
かかる課題を解決するため本発明においては、光情報記録装置、光情報記録方法及び光ディスク製造方法において、光情報記録媒体の回転中心を基準にした極座標による位置情報を直交座標による位置情報に座標変換し、この直交座標による位置情報をアドレスにして画像データを出力し、この画像データに応じて、レーザービームの光量を変化させる。
【０００９】
極座標による位置情報に応じてレーザービームの光量を変化させてピット幅を変化させれば、光情報記録媒体の回転に同期して情報記録面の反射率を変化させることができ、文字、画像を目視可能に記録することができる。このとき極座標による位置情報を直交座標による位置情報に変換して画像データをアクセスすれば、種々の情報機器で利用される直交座標をアドレスにしてなる例えば２値の画像データをそのまま用いて、これら文字、画像を記録することができ、これにより目視可能な文字、画像を簡易に記録することができる。
【００１０】
【発明の実施の形態】
以下、適宜図面を参照しながら本発明の実施の形態を詳述する。
【００１１】
図１は、本発明の実施の形態に係る光ディスク装置を示すブロック図である。この光ディスク装置１は、ディスク原盤２を露光してディジタルオーディオテープレコーダ３より出力されるオーディオデータＤ１を記録する。このとき所定の画像データにより露光に供するレーザービームＬの光量を変化させ、コンパクトディスクの情報記録面に所定の画像、文字を目視可能に記録する。光ディスクの製造工程では、このディスク原盤２を現像した後、電鋳処理することにより、マザーディスクを作成し、このマザーディスクよりスタンパーを作成する。さらに光ディスクの製造工程では、このようにして作成したスタンパーよりディスク基板を作成し、このディスク基板に反射膜、保護膜を形成してコンパクトディスクを作成する。
【００１２】
すなわちこの光ディスク装置１において、スピンドルモータ４は、ディスク原盤２を回転駆動し、底部に保持したＦＧ信号発生回路より、所定の角度回転する毎に信号レベルが立ち上がるＦＧ信号ＦＧをスピンドルサーボ回路５及び直交座標位置生成回路６に出力する。この実施の形態において、ＦＧ信号ＦＧは、ディスク原盤２が１回転する毎に４２００パルス出力される。スピンドルサーボ回路５は、ディスク原盤２の露光位置に応じて、このＦＧ信号ＦＧの周波数が所定周波数になるようにスピンドルモータ４を駆動し、これによりディスク原盤２を線速度一定の条件により回転駆動する。
【００１３】
記録用レーザー７は、ガスレーザー等により構成され、ディスク原盤露光用のレーザービームＬを射出する。光変調器８Ａは、電気音響光学素子で構成され、制御信号ＳＣ１に応じてレーザービームＬの光量を変化させて出力する。
【００１４】
光変調器８Ｂは、電気音響光学素子で構成され、このレーザービームＬを変調信号Ｓ１によりオンオフ制御して射出する。ミラー１０は、このレーザービームＬの光路を折り曲げてディスク原盤２に向けて射出し、対物レンズ１１は、このミラー１０の反射光をディスク原盤２に集光する。これらミラー１０及び対物レンズ１１は、図示しないスレッド機構により、ディスク原盤２の回転に同期してディスク原盤２の外周方向に順次移動し、これによりレーザービームＬによる照射位置を順次ディスク原盤２の外周方向に変位させる。
【００１５】
これによりこの光ディスク装置１では、ディスク原盤２を回転駆動した状態で、ミラー１０及び対物レンズ１１の移動によりらせん状にトラックを形成し、このトラックに変調信号Ｓ１に対応して順次ピットを形成する。さらにこのとき制御信号ＳＣ１に応じてピット幅を変化させ、これにより所定の文字、画像を目視可能に記録する。
【００１６】
直交座標位置生成回路６は、ＦＧ信号ＦＧを基準にして、ディスク原盤２の回転中心を基準にした極座標により、露光位置を示す位置情報を生成する。さらにこの極座標による位置情報を座標変換し、直交座標によりディスク原盤２の露光位置を示す位置情報Ｘ及びＹを生成する。
【００１７】
すなわち図２に示すように、直交座標位置生成回路６において、１回転カウンタ２０は、巡回の周期がディスク原盤２の１回転に対応するように設定されてなる、ＦＧ信号ＦＧを順次カウントするリングカウンタにより構成される。これにより１回転カウンタ２０は、図３（Ａ）に示すように、ディスク原盤２の回転中心を基準にした角度θによりディスク原盤２の露光位置を検出し、カウント値でなる位置情報ＣＴ１を角度θによる位置情報として出力する。また１回転カウンタ２０は、ＦＧ信号ＦＧのカウント結果より、ディスク原盤２が１回転して、露光位置が１トラック分だけ変位する毎に信号レベルが立ち上がるトラック信号Ｃ１を出力する。
【００１８】
トラックカウンタ２１は、トラック信号Ｃ１を順次カウントし、カウント値でなる位置情報ＣＴ２を出力する。これによりトラックカウンタ２１は、ディスク原盤２の回転中心より露光位置が順次外周側に変位すると順次値が増大する半径ｒに対応する位置情報を出力する。
【００１９】
これらにより直交座標位置生成回路６は、１回転カウンタ２０及びトラックカウンタ２１により、ディスク原盤２の回転中心を基準にした極座標により露光位置を示す位置情報ＣＴ１及びＣＴ２を生成する。
【００２０】
中央処理ユニット（ＣＰＵ）２３は、次式の演算処理を実行することにより、極座標により露光位置を示す位置情報ＣＴ１及びＣＴ２を、直交座標による位置情報Ｘ及びＹに変換して出力する（図３（Ａ）及び（Ｂ））。なおここで、ＴＰはトラックピッチを、ＴＢは、露光開始位置の半径を示し、Ａ及びＢは定数である。
【００２１】
【数１】
0003804844.tif 000002
【００２２】
【数２】
0003804844.tif 000003
【００２３】
画像信号発生回路１２は（図１）、画像データを保持する画像メモリで構成され、位置情報Ｘ及びＹをアドレスにして画像データを出力する。さらにこの画像データに応じて信号レベルの変化する制御信号ＳＣ１を出力する。ここでこの画像データは、図４に示すように、コンパクトディスクに記録する文字、画像を構成し、ＸＹ座標をアドレスにしてなるビットマップ形式の２値のデータで構成される。この画像データは、例えばコンピュータを用いて作成されて、この画像メモリにロードされ、またスキャナー等を用いた画像読み取りにより、この画像メモリにセットされる。
【００２４】
これによりこの光ディスク装置１では、この制御信号ＳＣ１に応じてレーザービームＬの光量を１００〔％〕の光量から８５〔％〕の光量に変化させ、画像データに応じて局所的にピット幅を変化させるようになされている。これによりコンパクトディスクにおいて、幅狭のピットの部分と通常のピット幅によるピットの部分で反射率が変化し、画像データによる文字、画像を目視できるようになされている。
【００２５】
このようにしてピット幅を変化させてディジタルオーディオ信号Ｄ１を記録するにつき、変調回路１４は、ディジタルオーディオテープレコーダ３より出力されるオーディオデータＤ１を受け、対応するサブコードデータをこのオーディオデータＤ１に付加する。さらに変調回路１４は、このオーディオデータＤ１及びサブコードデータをコンパクトディスクのフォーマットに従ってデータ処理し、変調信号Ｓ２を生成する。すなわち変調回路１４は、オーディオデータＤ１及びサブコードデータに誤り訂正符号を付加した後、インターリーブ処理、ＥＦＭ変調処理する。これにより変調回路１４は、ピット形成の基本周期Ｔに対して、この基本周期Ｔの整数倍の周期（周期３Ｔ〜１１Ｔ）で信号レベルが変化するＥＦＭ変調信号Ｓ２を出力する。
【００２６】
エッジ位置補正回路１５Ａ及び１５Ｂは、ＥＦＭ変調信号Ｓ２の変化パターンを検出し、この変化パターンに応じて再生時の符号間干渉を低減するように、ＥＦＭ変調信号Ｓ２のタイミングを補正し、そのタイミング補正結果でなる変調信号Ｓ１Ａ及びＳ１Ｂを出力する。このときエッジ位置補正回路１５Ａは、光変調器８Ａより出力される１００〔％〕光量のレーザービームＬに対応する変調信号Ｓ１Ａを出力するのに対し、エッジ位置補正回路１５Ｂは、光変調器８Ａより出力される８５〔％〕光量のレーザービームＬに対応する変調信号Ｓ１Ｂを出力する。
【００２７】
すなわちこのようにしてレーザービームＬの光量を１００〔％〕の光量から８５〔％〕の光量に変化させてピット幅を変化させると、その分再生信号の信号レベルも変化することになる。具体的には、それぞれ１００〔％〕の光量及び８５〔％〕の光量による場合について、図５及び図６に再生信号ＲＦのアイパターンを示すように、再生信号ＲＦの振幅Ｗ１及びＷ２が変化する。
【００２８】
これを連続した波形として観察すると、図７に示すように、正しく再生信号を２値化するためのスライスレベルＳＬ１及びＳＬ２が、１００〔％〕の光量による場合と、８５〔％〕の光量による場合とで相違するようになる。すなわち１００〔％〕の光量による部分と、８５〔％〕の光量による部分とで、アシンメトリーが大きく変化するようになる。
【００２９】
これにより１００〔％〕の光量による場合の一定のスライスレベルＳＬ１により再生信号ＲＦを２値化すると、正しいタイミング（すなわち基本周期Ｔに同期したタイミング）により２値化信号を生成することが困難になり、再生クロックに大きなジッタが発生することになり、これによりコンパクトディスクに記録されたオーディオデータを正しく再生することが困難になる。さらに８５〔％〕の光量による再生信号を、１００〔％〕の光量について設定したスライスレベルＳＬ１によりスライスした場合、例えば周期３Ｔの再生信号のように、再生信号の振幅が小さな場合には、再生信号の信号レベル自体スライスレベルＳＬ１を横切らなくなり、これによりジッタが増大するだけでなく、２値化信号より生成する再生データにビット誤りが多発することになる。
【００３０】
一般のコンパクトディスクプレイヤーにおいては、このようなアシンメトリーの変化に対応してスライスレベルを補正するスライスレベル自動調整回路を備えてはいるものの、急激な光量変化については対応することが困難で、結局レーザービームＬの光量を切り換えた直後の部分で、非常に長いバーストエラーが発生する。
【００３１】
このため光ディスク装置１において、エッジ位置補正回路１５Ａ及び１５Ｂは、ディスク原盤２に形成されるピット長を補正して、それぞれ１００〔％〕及び８５〔％〕の光量における再生信号ＲＦにおいて、図８に示すように、同一のスライスレベルＳＬにより再生信号を２値化して正しいタイミングにより２値化信号を生成できるように、ＥＦＭ変調信号Ｓ２のタイミングを補正してなる変調信号Ｓ１Ａ及びＳ１Ｂを出力する。
【００３２】
さらにこのときそれぞれＥＦＭ変調信号Ｓ２の変化パターンを検出し、この変化パターンに応じて、隣接符号からの符号間干渉を低減するように変調信号Ｓ１Ａ及びＳ１Ｂを出力する。
【００３３】
すなわちレーザービームＬの光量が変化すれば、ピット幅が変化することにより、各光量における符号間干渉の程度も変化する。このことからエッジ位置補正回路１５Ａ及び１５Ｂは、各光量において、符号間干渉による再生信号ＲＦのジッタが低減するようにＥＦＭ変調信号Ｓ２のタイミングを補正する。
【００３４】
データセレクタ１３は、画像信号発生回路１２より出力される制御信号ＳＣ１に基づいて、レーザービームＬの光量の切り換えに連動して対応する変調信号Ｓ１Ａ及びＳ１Ｂを選択出力する。
【００３５】
図９は、エッジ位置補正回路１５Ａを示すブロック図である。なおエッジ位置補正回路１５Ｂは、立ち上がりエッジ補正回路２５Ａ及び立ち下がりエッジ補正回路２５Ｂに格納する補正データが異なる以外、エッジ位置補正回路１５Ａと同一でなることにより、重複した説明は省略する。
【００３６】
エッジ位置補正回路１５Ａにおいて、ＰＬＬ回路２７は、図１０に示すように、変調回路１４より出力される変調信号Ｓ２（図１０（Ａ））よりクロックＣＫ（図１０（Ｂ））を生成して出力する。かくするにつき、変調信号Ｓ２においては、基本周期Ｔの整数倍の周期で信号レベルが変化することにより、ＰＬＬ回路２７は、この変調信号Ｓ２に同期した基本周期Ｔにより信号レベルが変化するクロックＣＫを生成する。
【００３７】
立ち上がりエッジ補正回路２５Ａは、図１１に示すように、クロックＣＫで動作する１３個のラッチ回路２８Ａ〜２８Ｍを直列に接続し、この直列回路に変調回路１４の変調信号Ｓ２を入力する。これにより立ち上がりエッジ補正回路２５Ａは、変調回路１４の変調信号Ｓ２をクロックＣＫのタイミングによりサンプリングし、連続する１３点のサンプリング結果より、変調信号Ｓ２の変化パターンを検出する。すなわち、例えば「0001111000001 」のラッチ出力が得られた場合、長さ５Ｔのスペースに続いて長さ４Ｔのピットが連続する変化パターンと判断することができる。同様に「0011111000001 」のラッチ出力が得られた場合、長さ５Ｔのスペースに続いて長さ５Ｔのピットが連続する変化パターンと判断することができる。
【００３８】
補正値テーブル２９は、複数の補正データを格納したリードオンリメモリで形成され、ラッチ回路２８Ａ〜２８Ｍのラッチ出力をアドレスにして、変調信号Ｓ２の変化パターンに対応する補正値データＤＦを出力する。このとき補正値テーブル２９は、直交座標による位置情報Ｘ及びＹから生成された半径情報ＤＲにより、アクセスされる領域が切り換えられ、これによりディスク原盤２の情報記録面を同心円状に８つの領域に分割して、各領域に対応する補正値データＤＦを出力する。
【００３９】
モノステーブルマルチバイブレータ（ＭＭ）３０は、直列接続された１３個の中央のラッチ回路２８Ｇよりラッチ出力を受け、このラッチ出力の立ち上がりのタイミングを基準にして、所定期間の間（周期３Ｔより充分に短い期間）、信号レベルが立ち上がる立ち上がりパルス信号を出力する。
【００４０】
遅延回路３１は、１５段のタップ出力を有し、各タップ間の遅延時間差がこのエッジ位置補正回路１５Ａにおける変調信号Ｓ２のタイミング補正の分解能に設定される。遅延回路３１は、モノステーブルマルチバイブレータ３０より出力される立ち上がりパルス信号を順次遅延して各タップより出力する。セレクタ３３は、補正値データＤＦに従って遅延回路３１のタップ出力を選択出力し、これにより補正値データＤＦに応じて遅延時間の変化してなる立ち上がりパルス信号ＳＳ（図１０（Ｄ））を選択出力する。
【００４１】
これにより立ち上がりエッジ補正回路２５Ａは、変調信号Ｓ２の信号レベルの立ち上がりに対応して信号レベルが立ち上がり、かつ変調信号Ｓ２に対する各立ち上がりエッジの遅延時間Δｒ（３，３）、Δｒ（４，３）、Δｒ（３，４）、Δｒ（５，３）、……が、変調信号Ｓ２の変化パターンに応じて変化する立ち上がりエッジ信号ＳＳを生成する。
【００４２】
なおこの図１０においては、変調信号Ｓ２の変化パターンを、クロック（すなわちチャンネルクロックでなる）ＣＫの１周期を単位としたピット長ｐと、ピット間隔ｂとにより表し、立ち上がりエッジに対する遅延時間をΔｒ（ｐ，ｂ）により示す。従ってこの図１０（Ｄ）において、２番目に記述された遅延時間Δｒ（４，３）は、長さ４クロックのピットの前に、３クロックのブランクがある場合の遅延時間である。これにより補正値テーブル２９には、これらｐ及びｂの全ての組合せに対応する補正値データＤＦが格納されていることになる。
【００４３】
かくするにつきディスク原盤２では、変調信号Ｓ２に応じてレーザービームＬが照射されてピットが形成されることにより、立ち上がりエッジ補正回路２５Ａは、基本周期Ｔを単位にした周期１２Ｔの範囲について、ディスク原盤２に形成されるピットのパターンを検出し、このパターンと半径方向の露光位置に応じて立ち上がりエッジ信号ＳＳを生成することになる。
【００４４】
立ち下がりエッジ補正回路２５Ｂは、モノステーブルマルチバイブレータ３０がラッチ出力の立ち下がりエッジを基準にして動作することと、補正値テーブル２９の内容が異なることを除いて、立ち上がりエッジ補正回路２５Ａと同一に構成される。
【００４５】
これにより立ち下がりエッジ補正回路２５Ｂは、変調信号Ｓ２の信号レベルの立ち下がりに対応して信号レベルが立ち上がり、かつ変調信号Ｓ２に対する各立ち下がりエッジの遅延時間Δｆ（３，３）、Δｆ（４，４）、Δｆ（３，３）、Δｆ（５，４）、……が変調信号Ｓ２の変化パターン及び半径方向の露光位置に応じて変化する立ち下がりエッジ信号ＳＲ（図１０（Ｃ））を生成する。なおこの図１０においては、立ち上がりエッジに対する遅延時間と同様に、ピット長ｐと、ピット間隔ｂとにより、立ち下がりエッジに対する遅延時間をΔｆ（ｐ，ｂ）で示す。
【００４６】
かくするにつき立ち下がりエッジ補正回路２５Ｂにおいても、基本周期Ｔを単位にした周期１２Ｔの範囲について、ディスク原盤２に形成されるピットのパターンを検出し、このパターン及び半径方向の露光位置に応じてレーザービームＬの照射終了のタイミングでなる変調信号Ｓ２の立ち下がりエッジのタイミングを補正して、立ち下がりエッジ信号ＳＲを生成するようになされている。
【００４７】
フリップフロップ（Ｆ／Ｆ）３５（図９）は、立ち上がりエッジ信号ＳＳ及び立ち下がりエッジ信号ＳＲを合成して出力する。すなわちフリップフロップ３５は、立ち上がりエッジ信号ＳＳ及び立ち下がりエッジ信号ＳＲをそれぞれセット端子Ｓ、リセット端子Ｒに入力し、これにより立ち上がりエッジ信号ＳＳの信号レベルの立ち上がりで信号レベルが立ち上がった後、立ち下がりエッジ信号ＳＲの信号レベルの立ち上がりで信号レベルが立ち下がる変調信号Ｓ１Ａを生成する。
【００４８】
これにより変調信号Ｓ２においては、立ち上がりエッジ及び立ち下がりエッジのタイミングが前後のピットの長さ及び間隔に応じて、また半径方向の露光位置に応じて補正されて出力され、これに対応してディスク原盤２に対してレーザービームＬを照射するタイミングも、前後のピットの長さ及び間隔、半径方向の露光位置に対応して補正される。
【００４９】
これにより光ディスク装置１では、再生時、符号間干渉により発生するジッタを低減するように、各ピットの前エッジ及び後エッジの位置を補正する。またそれぞれレーザービームＬの光量に対応したエッジ位置補正回路１５Ａ及び１５Ｂにより、前エッジ及び後エッジの位置を補正することにより、レーザービームＬの光量を立ち下げた場合でも、再生信号を一定のスライスレベルにより２値化して、ピット長により記録したオーディオデータＤ１を確実に再生できるように、各ピットの前エッジ及び後エッジの位置を補正する。
【００５０】
すなわちレーザービームＬの光量が１００〔％〕の場合には、エッジ位置補正回路１５Ａより出力される変調信号Ｓ１Ａにより前エッジ及び後エッジの位置を補正し、これにより一定のスライスレベルにより正しく２値化信号を生成できるようにし、またレーザービームＬの光量が８５〔％〕の場合には、エッジ位置補正回路１５Ｂより出力される変調信号Ｓ１Ｂにより前エッジ及び後エッジの位置を補正し、１００〔％〕の場合と同一のスライスレベルにより正しく２値化信号を生成できるようにする。
【００５１】
図１２は、このようにしてエッジのタイミング補正に使用される補正値テーブル２９の生成の説明に供する工程図である。光ディスク装置１では、この補正値テーブル２９を適切に設定することにより、レーザービームＬの光量、ピット長、前後のピット間隔が変化した場合でも、クロックＣＫに同期した正しいタイミングで所定のスライスレベルを再生信号が横切るようにする。
【００５２】
なお補正値テーブル２９は、各エッジ位置補正回路１５Ａ及び１５Ｂにおいて、それぞれ立ち上がりエッジ補正回路２５Ａ及び立ち下がりエッジ補正回路２５Ｂに設定されるが、生成の条件が異なる以外、何れも生成方法は同一であるので、ここでは立ち上がりエッジ補正回路２５Ａについて説明する。
【００５３】
この工程においては、光ディスク装置１により評価用のディスク原盤２を作成し、このディスク原盤２より作成されるコンパクトディスクの再生結果に基づいて、補正値テーブル２９を設定する。
【００５４】
ここでこの評価用のディスク原盤作成時において、光ディスク装置１には、評価基準用の補正値テーブル２９が設定される。この評価基準用の補正値テーブル２９は、セレクタ３３（図１１）において、常に遅延回路３１のセンタータップ出力を選択出力するように、補正値データＤＦが設定されて形成される。また画像信号発生回路１２には、評価基準用の画像データが格納される。これによりこの工程では、それぞれ１００〔％〕及び８５〔％〕のレーザー出力によりＥＦＭ変調信号Ｓ２で光変調器８Ｂを駆動し、通常のコンパクトディスク作成工程と同一の条件によりディスク原盤２を露光する。
【００５５】
この工程では、このようにして露光した評価用のディスク原盤２を現像した後、電鋳処理してマザーディスクを作成し、このマザーディスクよりスタンパー４０を作成する。さらにこのスタンパー４０より通常のコンパクトディスク作成工程と同様に、評価用のコンパクトディスク４１を作成する。
【００５６】
コンパクトディスクプレイヤー（ＣＤプレイヤー）４２は、このようにして作成した評価用のコンパクトディスク４１を再生する。このときコンパクトディスクプレイヤー４２は、コンピュータ４４により制御されて動作を切り換え、コンパクトディスク４１より得られる戻り光の光量に応じて信号レベルが変化する再生信号ＲＦを内蔵の信号処理回路よりディジタルオシロスコープ４５に出力する。かくするにつき、このコンパクトディスク４１は、レーザービームＬの光量の変化に伴ってピット幅が変化していることにより、ディジタルオシロスコープ４５で再生信号ＲＦを観察すると、ピットに対応する部分で再生信号の振幅が変化して観察される。
【００５７】
またこのピット幅の変化に伴ってピットの前エッジ、後エッジの位置が変化していることにより、振幅の変化に伴って大きなジッタが観察され、アシンメトリーも大きく変化することになる。さらにユーザーエリア等の低レベルのレーザービームによりピットを形成した部分においても、前後のピットからの符号間干渉によるジッタが観察されることになる。
【００５８】
ディジタルオシロスコープ４５は、コンピュータ４４により制御されて動作を切り換え、チャンネルクロックの２０倍のサンプリング周波数でこの再生信号ＲＦをアナログディジタル変換処理し、その結果得られるディジタル信号をコンピュータ４４に出力する。
【００５９】
コンピュータ４４は、ディジタルオシロスコープ４５の動作を制御すると共に、ディジタルオシロスコープ４５より出力されるディジタル信号を信号処理し、これにより補正値データＤＦを順次計算する。さらにコンピュータ４４は、ＲＯＭライター４６を駆動して、計算した補正値データＤＦを順次リードオンリメモリに格納し、これにより補正値テーブル２９を形成する。この工程では、この補正値テーブル２９により最終的にコンパクトディスクを製造する。
【００６０】
図１３は、このコンピュータ４４における処理手順を示すフローチャートである。この処理手順において、コンピュータ４４は、ステップＳＰ１からステップＳＰ２に移り、ジッタ検出結果Δｒ（ｐ，ｂ）、ジッタ計測回数ｎ（ｐ，ｂ）を値０にセットする。ここでコンピュータ４４は、ジッタ検出対象でなるエッジの前後について、ピット長ｐ、ピット間隔ｂの組合せ毎に、ジッタ検出結果Δｒ（ｐ，ｂ）を算出し、またジッタ計測回数ｎ（ｐ，ｂ）をカウントする。このためコンピュータ４４は、ステップＳＰ２において、これら全てのジッタ検出結果Δｒ（ｐ，ｂ）、ジッタ計測回数ｎ（ｐ，ｂ）を初期値にセットする。
【００６１】
続いてコンピュータ４４は、ステップＳＰ３に移り、ディジタルオシロスコープ４５より出力されるディジタル信号を所定のスライスレベルと比較することにより、再生信号ＲＦを２値化してなるディジタル２値化信号を生成する。なおコンピュータ４４は、この処理において、スライスレベル以上が値１、スライスレベルに満たない部分では値０となるように、ディジタル信号を２値化する。
【００６２】
続いてコンピュータ４４は、ステップＳＰ４に移り、このディジタル信号でなる２値化信号より再生クロックを生成する。ここでコンピュータ４４は、２値化信号を基準にして演算処理によりＰＬＬ回路の動作をシミュレーションし、これにより再生クロックを生成する。
【００６３】
さらにコンピュータ４４は、続くステップＳＰ５において、このようにして生成した再生クロックの各立ち下がりエッジのタイミングで、２値化信号をサンプリングし、これにより変調信号を復号する（以下、復号したこの変調信号を復号信号と呼ぶ）。
【００６４】
続いてコンピュータ４４は、ステップＳＰ６に移り、２値化信号の立ち上がりエッジの時点から、このエッジに最も近接した再生クロックの立ち下がりの時点までの時間差ｅを検出し、これによりこのエッジにおけるジッタを時間計測する。続いてコンピュータ４４は、ステップＳＰ７において、ステップＳＰ６で時間計測したエッジについて、復号信号より前後のピット長ｐ及びピット間隔ｂを検出する。
【００６５】
コンピュータ４４は、続いてステップＳＰ８において、前後のピット長ｐ及びピット間隔ｂに対応するジッタ検出結果Δｒ（ｐ，ｂ）に対して、ステップＳＰ６において検出した時間差ｅを加算し、また対応するジッタ計測回数ｎ（ｐ，ｂ）を値１だけインクリメントする。続いてコンピュータ４４は、ステップＳＰ９に移り、全ての立ち上がりエッジについて、時間計測を完了したか否か判断し、ここで否定結果が得られると、ステップＳＰ５に戻る。
【００６６】
これによりコンピュータ４４は、ステップＳＰ５−ＳＰ６−ＳＰ７−ＳＰ８−ＳＰ９−ＳＰ５の処理手順を繰り返し、再生信号ＲＦに表れる変化パターン毎に、時間計測したジッタ検出結果を累積加算し、また加算数をカウントする。なおこの変化パターンは、立ち上がりエッジ補正回路２５Ａにおけるラッチ回路２８Ａ〜２８Ｍの段数に対応するように、ジッタ検出対象のエッジより基本周期Ｔを基準にした前後６サンプルの期間（全体で周期１２Ｔの期間）により分類される。
【００６７】
このようにして全てのエッジについて、ジッタの時間計測を完了すると、コンピュータ４４は、ステップＳＰ９において肯定結果が得られることにより、ステップＳＰ１０に移り、ここで再生信号ＲＦに表れる変化パターン毎に、時間計測したジッタ検出結果を平均値化する。すなわちステップＳＰ６において検出されるジッタにおいては、ノイズの影響を受けていることにより、コンピュータ４４は、このようにしてジッタ検出結果を平均値化し、ジッタの測定精度を向上する。
【００６８】
コンピュータ４４は、このようにしてジッタ検出結果を平均値化すると、続いてステップＳＰ１１に移り、この検出結果より、各変化パターン毎にそれぞれ補正値データＤＦを生成し、各補正値データＤＦをＲＯＭライター４６に出力する。ここでこの補正値データＤＦは、遅延回路３１におけるタップ間の遅延時間差をτとおいて、次式の演算処理を実行して算出される。
【００６９】
【数３】
0003804844.tif 000004
【００７０】
なおここでＨｒ１（ｐ，ｂ）は、補正値データＤＦにより選択される遅延回路３１のタップであり、値０の場合がセンタータップである。またＨｒ０（ｐ，ｂ）は、初期値でなる補正値データＤＦにより選択される遅延回路３１のタップであり、この実施の形態において、Ｈｒ０（ｐ，ｂ）は、値０に設定されていることになる。またａは定数である。ここでこの実施の形態において、ａは１以下の値（例えば０．７など）に設定され、これによりノイズなどの影響があっても、確実に補正値データを収束させるようになされている。
【００７１】
コンピュータ４４は、ディジタルオシロスコープ４５を介して検出される再生信号ＲＦの信号レベルを基準にして、レーザービームＬの光量が１００〔％〕の光量による場合と、８５〔％〕の光量による場合とでそれぞれ上述した補正値データの生成処理を実行し、これによりレーザービームＬの光量を立ち下げた場合でも、通常のスライスレベルにより再生信号ＲＦを２値化して、正しいタイミングにより２値化信号を生成できるように補正値データＤＦを生成する。
【００７２】
さらにコンピュータ４４は、コンパクトディスクの情報記録面を同心円状に分割してなる８つの領域毎に上述の演算処理を実行し、これにより各領域毎に補正値データＤＦを生成する。
【００７３】
コンピュータ４４は、このようにして生成した補正値データＤＦをＲＯＭライター４６に格納すると、ステップＳＰ１２に移ってこの処理手順を終了する。続いてコンピュータ４４は、同様の処理手順をディジタル２値化信号の立ち下がりエッジについて実行し、これにより補正値テーブル２９を完成する。
【００７４】
以上の構成において、光ディスク装置１においては（図１）、エッジ位置補正回路１５Ａ及び１５Ｂにおける補正値テーブル２９を初期値に設定して、従来のコンパクトディスクの作成条件と同一の条件により評価用のディスク原盤２が作成され、このディスク原盤２より評価用のコンパクトディスク４１が作成される（図１２）。
【００７５】
この評価用のコンパクトディスク４１は、基本周期Ｔの整数倍の周期で信号レベルが変化する変調信号Ｓ２によりレーザービームＬがオンオフ制御されてディスク原盤２が順次露光され、これによりピット長及びピット間隔により評価用のデータが記録される。また評価基準用の画像データに基づいてレーザービームＬの光量が立ち下げられ、これにより局所的に幅狭のピットの領域が形成され、さらにこのピット幅の変化に伴って、ピット長が変化して形成される。
【００７６】
これによりこの評価用のコンパクトディスク４１より得られる再生信号は、一定の光量によりピットが形成されている部分では、隣接ピットの符号間干渉によりジッタが観察されることになる。またピット幅が変化する部分については、隣接ピットの符号間干渉に加えてピット幅の変化により、大きなジッタが発生することになる。またこのピット幅が変化する部分については、再生信号の振幅が大きく変化し、アシンメトリーも激しく変化することになる。
【００７７】
従ってこのコンパクトディスク４１より得られる再生信号は、前後のピットの長さ及び間隔に対応する変調信号Ｓ２の変化パターン、半径方向の露光位置、露光時のレーザービーム光量に応じて、スライスレベルを横切るタイミングが変化し、この再生信号より生成される再生クロックにおいては大きなジッタが発生することになる。
【００７８】
このコンパクトディスク４１は、コンパクトディスクプレイヤー４２により再生され、再生信号ＲＦがディジタルオシロスコープ４５によりディジタル信号に変換された後、コンピュータ４４により２値化信号、ＥＦＭ復号信号、再生クロックが生成される。さらにコンパクトディスク４１は、２値化信号の各エッジ毎に、２値化信号より前後のピットの長さ及び間隔が検出されて変調信号の変化パターンが検出され、各変化パターン毎に、２値化信号の各エッジのジッタ量が時間計測される。
【００７９】
さらにレーザービームの光量を立ち下げた場合と、一定値に保持した場合とで、これら時間計測結果が各変化パターン毎に平均値化され、レーザービームの各光量によるジッタ量が符号間干渉によるジッタ量と共に各変化パターン毎に検出される。コンパクトディスク４１は、このようにして検出したジッタ量により、情報記録面を同心円状に分割してなる８つの領域毎に遅延回路３１（図１１）のタップ間遅延時間差τを基準にした（３）式の演算処理が実行され、遅延回路３１のセンタータップを基準にして、この検出したジッタ量を打ち消すことができる遅延回路３１のタップ位置が検出される。さらにコンパクトディスク４１は、この検出したタップ位置を特定するデータが補正値データＤＦとしてリードオンリメモリに格納され、これにより遅延回路３１のタップ間遅延時間差τをジッタ補正単位に設定して、補正値テーブル２９が形成される。
【００８０】
このときそれぞれ１００〔％〕及び８５〔％〕のレーザービーム光量に対応する補正値データＤＦが作成され、このうちの１００〔％〕のレーザービーム光量に対応する補正値データＤＦがエッジ位置補正回路１５Ａの補正値テーブル２９に記録され、８５〔％〕のレーザービーム光量に対応する補正値データＤＦが、エッジ位置補正回路１５Ｂの補正値テーブル２９に記録される。
【００８１】
このようにして補正値テーブル２９がセットされた状態で、光ディスク装置１では、コンピュータ等により作成されたビットマップ形式の２値の画像データ、またはスキャナーにより読み込んだ同様の画像データが画像信号発生回路１２に格納される。
【００８２】
このようにして補正値テーブル２９、画像データがセットされると、光ディスク装置１では、オーディオデータＤ１が所定のデータ処理を受け、基本周期Ｔを単位にして信号レベルの変化する変調信号Ｓ２に変換される。この変調信号Ｓ２は、エッジ位置補正回路１５Ａにおいて（図９）、ＰＬＬ回路２７によりクロックＣＫが再生される。またそれぞれ立ち上がりエッジ補正回路２５Ａ及び立ち下がりエッジ補正回路２５Ｂにおいて（図１１）、１３段のラッチ回路２８Ａ〜２８Ｍで順次ラッチされて、変化パターンが検出される。
【００８３】
さらに変調信号Ｓ２は、このラッチ回路２８Ａ〜２８Ｍの中間のラッチ回路２８Ｇよりモノステーブルマルチバイブレータ３０に入力され、立ち上がりエッジ補正回路２５Ａにおいては、立ち上がりエッジのタイミングで、立ち下がりエッジ補正回路２５Ｂにおいては、立ち下がりエッジのタイミングで、モノステーブルマルチバイブレータ３０の出力をトリガし、それぞれ立ち上がりエッジ及び立ち下がりエッジのタイミングで信号レベルが立ち上がる立ち上がりパルス信号及び立ち下がりパルス信号を生成する。
【００８４】
これら立ち上がりパルス信号及び立ち下がりパルス信号は、それぞれ立ち上がりエッジ補正回路２５Ａ及び立ち下がりエッジ補正回路２５Ｂの遅延回路３１において、補正値データＤＦの算出に利用された遅延時間τを単位にして順次遅延され、この遅延回路３１のタップ出力がセレクタ３３に出力される。これに対してラッチ回路２８Ａ〜２８Ｍで検出された変調信号Ｓ２の変化パターンは、ラッチ回路２８Ａ〜２８Ｍのラッチ出力をアドレスにした補正値テーブル２９のアクセスにより、対応する補正値データＤＦが検出され、この補正値データＤＦによりセレクタ３３の接点が切り換えられる。
【００８５】
これによりそれぞれ立ち上がりエッジ補正回路２５Ａ及び立ち下がりエッジ補正回路２５Ｂのセレクタ３３より、評価用のコンパクトディスク４１で検出されたレーザービームＬを１００〔％〕の光量により照射した場合のジッタを補正するように、変調信号Ｓ２の立ち上がりエッジ及び立ち下がりエッジのタイミングをそれぞれ補正してなる立ち上がりエッジ信号ＳＳ及び立ち下がりエッジ信号ＳＲが出力され、これら立ち上がりエッジ信号ＳＳ及び立ち下がりエッジ信号ＳＲ（図１１）が、フリップフロップ３５により合成される。
【００８６】
これにより評価用のコンパクトディスク４１で検出した、レーザービームＬを１００〔％〕の光量により照射した場合のジッタを補正するように、すなわち符号間干渉を低減するように、変調信号Ｓ２のエッジのタイミングを補正してなる変調信号Ｓ１Ａが生成される。
【００８７】
同様にして、変調信号Ｓ２は、エッジ位置補正回路１５Ｂにおいて、変化パターンが検出され、この変化パターンに対応する補正値データＤＦにより立ち上がりエッジ信号ＳＳ及び立ち下がりエッジ信号ＳＲが生成され、これら立ち上がりエッジ信号ＳＳ及び立ち下がりエッジ信号ＳＲがフリップフロップ３５により合成される。これにより変調信号Ｓ２は、エッジ位置補正回路１５Ｂにおいて、評価用のコンパクトディスク４１で検出したレーザービームＬを８５〔％〕の光量により照射した場合のジッタを補正するように、すなわちレーザービーム光量の立ち下げに伴うピット長の変化を打ち消すように、また符号間干渉を低減するように、変調信号Ｓ２のエッジのタイミングを補正してなる変調信号Ｓ１Ｂが生成される。
【００８８】
このようにして１００〔％〕及び８５〔％〕のレーザービームの光量に対応する変調信号Ｓ１Ａ、Ｓ１Ｂを用意した状態で、光ディスク装置１では、直交座標位置生成回路６の１回転カウンタ２０（図２）において、ディスク原盤２が所定の角度回転する毎に信号レベルが立ち上がるＦＧ信号ＦＧがカウントされ、ディスク原盤２の円周方向について露光位置を示す位置情報ＣＴ１が生成される。
【００８９】
またこの１回転カウンタ２０において、ディスク原盤２が１回転する毎に信号レベルが立ち上がるトラック信号Ｃ１が生成され、このトラック信号Ｃ１が続くトラックカウンタ２１でカウントされることにより、ディスク原盤２の半径方向について露光位置を示す位置情報ＣＴ２が生成される。
【００９０】
これらにより光ディスク装置１では、スピンドルモータ４から出力されるＦＧ信号ＦＧを利用して、露光位置を極座標により示す位置情報ＣＴ１、ＣＴ２を生成し、別途ミラー１０の位置検出手段等を設けなくても、簡易な構成によりこれら位置情報ＣＴ１、ＣＴ２が取得される。
【００９１】
このようにして生成した位置情報ＣＴ１、ＣＴ２は、続く中央処理ユニット２３において、直交座標による位置情報Ｘ、Ｙに座標変換され、この位置情報Ｘ、Ｙをアドレスにして画像信号発生回路１２に保持された画像データがアクセスされる。これにより画像信号発生回路１２より、コンピュータ等により作成されたビットマップ形式の画像データのうち、位置情報Ｘ、Ｙに対応する２値の画像データが対応する制御信号ＳＣ１により出力される。
【００９２】
これによりこの光ディスク装置１では、種々の情報機器で利用されるＸＹ座標値をアドレスにしてなる画像データを画像メモリに格納するだけの簡易な作業により、この画像データによる文字、画像がコンパクトディスクＨに目視可能に記録される。
【００９３】
すなわち光変調器８Ａ（図１）において、この制御信号ＳＣ１に応じてレーザービームＬの光量が１００〔％〕の光量より８５〔％〕の光量に切り換えられ、この光量の変化により局所的に幅狭のピットがディスク原盤２に形成される。さらにこのディスク原盤２よりコンパクトディスクＨが生産され、これによりこのコンパクトディスクＨにおいては、画像データに応じて局所的にピット幅の相違する領域が形成され、このピット幅の相違による反射率の相違により、画像データによる文字、画像が目視可能に記録される。
【００９４】
このディスク原盤２の露光時、データセレクタ１３において、レーザービームＬの光量の変化に連動して、エッジ位置補正回路１５Ａ及び１５Ｂより出力される変調信号Ｓ１Ａ及びＳ１Ｂが選択的に光変調器８Ｂに入力され、これによりピット幅の変化に伴うピット長の変化を防止するようにレーザービーム照射のタイミングが補正される。また各ピットについて、隣接ピットによる符号間干渉を低減するようにレーザービーム照射のタイミングが補正される。
【００９５】
これによりコンパクトディスクＨは、オーディオデータＤ１が隣接ピットからの符号間干渉を低減するように、隣接ピットとの組み合わせによるパターンに応じて前エッジ及び後エッジの位置が補正されたピット長及びピット間隔により記録される。さらに画像データに応じて局所的に幅狭のピットが形成され、このピット幅の変化によるピット長の変化を打ち消すように、前エッジ及び後エッジの位置も補正されていることになる。
【００９６】
この一連の処理において、この実施の形態に係るコンパクトディスクＨでは、画像データによる文字、画像を目視できるようにピット幅を変化させても、このピット幅の変化によるピット長の変化を打ち消すように、前エッジ及び後エッジの位置が補正されていることにより、一定のスライスレベルＳＬにより再生信号ＲＦを２値化して、正しいタイミングにより２値化信号を生成することができる。すなわちレーザービームの光量の変化に伴う再生クロックＣＫのジッタを有効に回避することができるように、２値化信号を生成することができる。さらに符号間干渉についても、これを低減するようにエッジの位置が補正されていることにより、符号間干渉によるジッタも低減することができる。これによりピット幅を変化させたにも係わらず、オーディオデータを正しく再生することができる。
【００９７】
以上の構成によれば、極座標による露光位置の位置情報を直交座標による位置情報に変換して画像データをアクセスし、この画像データに応じてピット幅を変化させることにより、コンピュータ等により作成したビットマップ形式の画像データを単に画像メモリに格納するだけの簡易な作業で、この画像データによる文字、画像をコンパクトディスクの情報記録面に目視可能に簡易に記録することができる。
【００９８】
またこのときピット幅の変化に伴うピット長の変化を補正するように、さらには隣接ピットによる符号間干渉を低減するように、レーザービーム照射のタイミングを補正することにより、所望のデータを高密度に記録した場合でも、オーディオデータを確実に再生することができる。
【００９９】
なお上述の実施の形態においては、オーディオデータに割り当てたピットについて、ピット幅を変化させて文字、画像を目視可能に記録する場合について述べたが、本発明はこれに限らず、例えばＴＯＣのデータを割り当てるピットのピット幅を変化させてリードインエリアに画像等を目視可能に記録してもよい。
【０１００】
さらに上述の実施の形態においては、レーザービームの光量を２段階で変化させてピット幅を変化させる場合について述べたが、本発明はこれに限らず、実用上充分にピット幅の変化により反射率が変化する場合、レーザービームの光量を多段階で変化させてピット幅を変化させてもよい。
【０１０１】
また上述の実施の形態においては、評価用のコンパクトディスクより作成した補正値テーブルを直接使用してコンパクトディスクを作成する場合について述べたが、本発明はこれに限らず、評価用のコンパクトディスクより作成した補正値テーブルを用いて改めて評価用のコンパクトディスクを作成し、この改めて作成した評価用のコンパクトディスクにより補正値テーブルを修正してもよい。このように繰り返し補正値テーブルを修正すれば、その分確実にジッタを低減することができる。
【０１０２】
さらに上述の実施の形態においては、変調信号を１３サンプリングして変化パターンを検出する場合について述べたが、本発明はこれに限らず、必要に応じてサンプリング数を増大してもよく、これにより長い記録情報パターンに対応することができる。
【０１０３】
また上述の実施の形態においては、基本のクロックを基準にした２値化信号の時間計測によりジッタ量を計測し、この計測結果より補正値データを生成する場合について述べたが、本発明はこれに限らず、実用上十分な精度を確保できる場合は、この時間計測によるジッタ量の計測に代えて、基本のクロックを基準にした再生信号の信号レベル検出により補正値データを生成してもよい。なおこの場合、検出した再生信号の信号レベルよりスライスレベルまでの誤差電圧を計算し、この誤差電圧と再生信号の過渡応答特性により補正値データを算出することになる。
【０１０４】
さらに上述の実施の形態においては、テーブル化した補正値データに従って変調信号のタイミングを補正する場合について述べたが、本発明はこれに限らず、実用上十分な精度を確保できる場合は、予め検出した補正値データに代えて、演算処理により補正値データを算出し、これにより変調信号のタイミングを補正してもよい。
【０１０５】
また上述の実施の形態においては、中央処理ユニットの演算処理により座標変換する場合について述べたが、本発明はこれに限らず、リードオンリーメモリ（ＲＯＭ）によるテーブルにより座標変換してもよい。
【０１０６】
さらに上述の実施の形態においては、ＦＧ信号をカウントして極座標による位置情報を生成する場合について述べたが、本発明はこれに限らず、スピンドルモータの回転に同期した種々の基準信号より極座標による位置情報を生成してもよく、さらには直接の位置検出によりこれらの位置情報を検出してもよい。
【０１０７】
また上述の実施の形態においては、ディスク原盤を線速度一定の条件により回転駆動する場合について述べたが、本発明はこれに限らず、角速度一定の条件により回転駆動してもよい。
【０１０８】
さらに上述の実施の形態においては、本発明をコンパクトディスクに適用した場合について述べたが、本発明はこれに限らず、ピットにより種々のデータを記録する光ディスク装置に広く適用することができる。因みに、再生信号の過渡応答特性の相違により種々のデータを多値記録するようになされた光ディスク装置にも広く適用することができる。
【０１０９】
【発明の効果】
上述のように本発明によれば、極座標によるレーザービーム照射位置の位置情報を直交座標による位置情報に変換して画像データをアクセスし、この画像データに応じてレーザービームの光量を変化させることにより、光情報記録媒体の情報記録面に、文字、画像を目視可能に簡易に記録することができる。
【図面の簡単な説明】
【図１】本発明の第１の実施の形態に係る光ディスク装置を示すブロック図である。
【図２】図１の光ディスク装置の直交座標位置生成回路を示すブロック図である。
【図３】図２の直交座標位置生成回路の動作の説明に供する平面図である。
【図４】図１の光ディスク装置の画像信号発生回路の操作の説明に供する平面図である。
【図５】１００〔％〕のレーザービームの光量によるピットからの再生信号を示す信号波形図である。
【図６】８５〔％〕のレーザービームの光量によるピットからの再生信号を示す信号波形図である。
【図７】光量の相違によるスライスレベルの変化を示す信号波形図である。
【図８】図７との対比により図１の光ディスク装置により生産されたコンパクトディスクによる再生信号を示す信号波形図である。
【図９】図１の光ディスク装置のエッジ位置補正回路を示すブロック図である。
【図１０】図９のエッジ位置補正回路の動作の説明に供する信号波形図である。
【図１１】図９のエッジ位置補正回路における立ち上がりエッジ補正回路を示すブロック図である。
【図１２】図１の光ディスク装置における補正値テーブルの作成工程を示す工程図である。
【図１３】図１２の工程におけるコンピュータの処理手順を示すフローチャートである。
【符号の説明】
１……光ディスク装置、２……ディスク原盤、２……直交座標位置生成回路、８Ａ、８Ｂ……光変調器、１２……画像信号発生回路、１３……データセレクタ、１５Ａ、１５Ｂ……エッジ位置補正回路、２５Ａ……立ち上がりエッジ補正回路、２５Ｂ……立ち下がりエッジ補正回路、２９……補正値テーブル、４１、Ｈ……コンパクトディスク、４４……コンピュータ
【図１】
0003804844.tif 000005
【図２】
0003804844.tif 000006
【図３】
0003804844.tif 000007
【図４】
0003804844.tif 000008
【図５】
0003804844.tif 000009
【図６】
0003804844.tif 000010
【図７】
0003804844.tif 000011
【図８】
0003804844.tif 000012
【図９】
0003804844.tif 000013
【図１０】
0003804844.tif 000014
【図１１】
0003804844.tif 000015
【図１２】
0003804844.tif 000016
【図１３】
0003804844.tif 000017